【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
マルチエコーＭＲ測定シーケンスにより、それぞれ異なるエコー時点（５０１，５０２，５０３）について、高められた分解能を有する検査対象（１０１）の複数の磁気共鳴（ＭＲ）画像を決定する方法であって、
マルチエコーＭＲ測定シーケンスが、ｋ空間（２１０）を少なくとも２つのｋ空間セグメント（２００，２００−１〜２００−６）についてセグメントごとに走査し、
少なくとも２つのｋ空間セグメント（２００，２００−１〜２００−６）が、ｋ空間行に沿って行ごとに走査され、
マルチエコーＭＲ測定シーケンスが、各ｋ空間行（２２０）について、第１のグラジエントエコーを第１のエコー時点（５０１）で形成し、第２のグラジエントエコーをそれより遅い第２のエコー時点（５０２）で形成し、
この方法が、各ｋ空間行（２２０）について、次のステップ、即ち、
横磁化を操作するために高周波パルス（４０１−１，４０１−２ａ，４０１−２ｂ，４０１−２ｃ）を照射するステップと、
現在のｋ空間行（２２０）の位相エンコーディングをするために位相エンコード傾斜磁場（４０２，４０２ａ）を印加するステップと、
現在のｋ空間行（２２０）のために照射された高周波パルス（４０１−１，４０１−２ａ，４０１−２ｂ，４０１−２ｃ）によって操作された横磁化の第１のグラジエントエコーを、第１の読み出し傾斜磁場（４０３−２）の印加期間中に読み出し、しかもその第１のグラジエントエコーの読み出しを第１のエコー時点（５０１）を中心とする時間インターバル（９０１）内で行うステップと、
第２のグラジエントエコーを第２の読み出し傾斜磁場（４０４−２）の印加期間中に読み出し、その第２のグラジエントエコーの読み出しは第２のエコー時点（５０２）を中心とする時間インターバル（９０２）内で行うステップと、を含み、
少なくとも２つのｋ空間セグメント（２００，２００−１〜２００−６）が矩形であり、
少なくとも２つのｋ空間セグメント（２００，２００−１〜２００−６）の長辺が、それぞれのｋ空間セグメント（２００，２００−１〜２００−６）の位相エンコード傾斜磁場（４０２，４０２ａ）によって規定される方向（ｋｙ）に沿って向けられ、
少なくとも２つのｋ空間セグメント（２００，２００−１〜２００−６）の短辺が、それぞれのｋ空間セグメント（２００，２００−１〜２００−６）の読み出し傾斜磁場（４０３−２，４０４−２）によって規定される方向（ｋｘ）に沿って向けられている複数の磁気共鳴画像の決定方法。
【請求項２】
それぞれ互いに平行に向けられたｋ空間行について行ごとの走査が行われ、
少なくとも２つのｋ空間セグメント（２００，２００−１〜２００−６）の長辺がｋ空間行（２２０）に対して垂直に向けられ、
少なくとも２つのｋ空間セグメント（２００，２００−１〜２００−６）の短辺がｋ空間行（２２０）に沿って向けられている請求項１記載の方法。
【請求項３】
少なくとも２つのｋ空間セグメント（２００，２００−１〜２００−６）の全てが１つのｋ空間中心点（２１１）を含み、
少なくとも２つのｋ空間セグメント（２００，２００−１〜２００−６）が、スライス選択傾斜磁場（４０７ａ，４０７ｂ）によって規定される１つの平面内において、互いに回転させられている請求項１又は２記載の方法。
【請求項４】
２つのｋ空間セグメント（２００，２００−１〜２００−６）が走査され、
２つのｋ空間セグメント（２００，２００−１〜２００−６）が、スライス選択傾斜磁場（４０７ａ，４０７ｂ）によって規定される前記平面内において、ｋ空間中心点（２１１）を中心としてほぼ９０°の角度だけ互いに回転させられている請求項３記載の方法。
【請求項５】
少なくとも２つのｋ空間セグメント（２００，２００−１〜２００−６）が、スライス選択傾斜磁場（４０７ａ，４０７ｂ）によって規定される１つの平面内において、少なくとも２つのｋ空間セグメント（２００，２００−１〜２００−６）の短辺にほぼ平行に移動されている請求項２記載の方法。
【請求項６】
少なくとも２つのｋ空間セグメント（２００，２００−１〜２００−６）の全てが１つのｋ空間中心点（２１１）を含み、
ｋ空間（２１０）内で球体（２４０）が走査されるように、少なくとも２つのｋ空間セグメント（２００，２００−１〜２００−６）がｋ空間中心点（２１１）を中心に互いに回転させられている請求項１又は２記載の方法。
【請求項７】
少なくとも２つのｋ空間セグメント（２００，２００−１〜２００−６）が直方体形であり、
少なくとも２つのｋ空間セグメント（２００，２００−１〜２００−６）のそれぞれが、+他の位相エンコード傾斜磁場の印加によって、スライス選択傾斜磁場（４０７ａ，４０７ｂ）によって規定される方向（ｋｚ）に沿って互いに移動された複数の矩形のサブセグメント（２００ａａ，２００ｂｂ）からなり、
複数の矩形のサブセグメント（２００ａａ，２００ｂｂ）の長辺が、位相エンコード傾斜磁場又は他の位相エンコード傾斜磁場によって規定される方向（ｋｙ）に沿って向けられ、
複数の矩形のサブセグメント（２００ａａ，２００ｂｂ）の短辺が、読み出し傾斜磁場（４０３−２，４０４−２）によって規定されるそれぞれのｋ空間セグメント（２００，２００−１〜２００−６）の方向（ｋｘ）に沿って向けられている請求項１記載の方法。
【請求項８】
少なくとも２つのｋ空間セグメント（２００，２００−１〜２００−６）の全てが１つのｋ空間中心点（２１１）を含み、
それらのｋ空間セグメント（２００，２００−１〜２００−６）が、それぞれの読み出し傾斜磁場（４０３−２，４０４−２）によって規定される１つの平面および位相エンコード傾斜磁場（４０２，４０２ａ）又は他の位相エンコード傾斜磁場によって規定される１つの平面において互いに回転させられている請求項７記載の方法。
【請求項９】
少なくとも２つのｋ空間セグメント（２００，２００−１〜２００−６）の全てが１つのｋ空間中心点（２１１）を含み、
ｋ空間（２１０）内で球体（２４０）又は円筒体が走査されるように、それらのｋ空間セグメント（２００，２００−１〜２００−６）がｋ空間中心点（２１１）を中心として互いに回転させられている請求項７記載の方法。
【請求項１０】
グラジエントエコーの形成がスピンエコー・グラジエントエコー・ハイブリッドシーケンスに基づいて行われる請求項１乃至９の１つに記載の方法。
【請求項１１】
高周波パルス（４０１−１，４０１−２ａ，４０１−２ｂ，４０１−２ｃ）が、横磁化のスピンエコーを生成するためのリフォーカパルス（４０１−２ａ，４０１−２ｂ，４０１−２ｃ）であり、
第１のエコー時点（５０１）および第２のエコー時点（５０２）がスピンエコーの時間範囲内にある請求項１０記載の方法。
【請求項１２】
リフォーカパルス（４０１−２ａ，４０１−２ｂ，４０１−２ｃ）が、横磁化を励起するために高周波励起パルス（４０１−１）の後に続く複数のリフォーカパルス（４０１−２ａ，４０１−２ｂ，４０１−２ｃ）の系列の一部であり、
複数のリフォーカパルス（４０１−２ａ，４０１−２ｂ，４０１−２ｃ）の系列の１つのリフォーカパルス（４０１−２ａ，４０１−２ｂ，４０１−２ｃ）の後に、少なくとも２つのｋ空間セグメント（２００，２００−１〜２００−６）のそれぞれのｋ空間行のうち少なくとも１つのｋ空間セグメント（２００）がそれぞれ走査される請求項１１記載の方法。
【請求項１３】
相前後するグラジエントエコーが、異なる符号を有する読み出し傾斜磁場（４０３−２，４０４−２）の印加期間中に読み出される請求項１乃至１２の１つに記載の方法。
【請求項１４】
更に同じエコー時間で検出された少なくとも２つのｋ空間セグメント（２００，２００−１〜２００−６）の読み出されたグラジエントエコーに基づいてそれぞれ１つのＭＲ画像（１０００）を決定するステップを含み、
それぞれ１つのＭＲ画像の決定が、次のａ）〜ｆ）のグループ、即ち、
ａ）ｋ空間（２１０）におけるリグリッディング、
ｂ）ｋ空間（２１０）における密度補償、
ｃ）ｋ空間（２１０）における逐次ずれ操作、
ｄ）パラレルイメージング技術、特にＧＲＡＰＰＡ（Generalized Autocalibrating Partially Parallel Acquisition）、
ｅ）各エコー時間について：走査された各ｋ空間セグメントについてそれぞれ得られた複数の中間画像を組み合わせて１つのＭＲ画像を決定する技術、
ｆ）各エコー時間について：走査された各ｋ空間セグメントについてそれぞれ取得された複数のＭＲデータを組み合わせて合成ＭＲデータとし、合成ＭＲデータからＭＲ画像を決定する技術、
のグループから選ばれた技術により行われる請求項１乃至１３の１つに記載の方法。
【請求項１５】
マルチエコーＭＲ測定シーケンスが、各ｋ空間行（２２０）について、少なくとも１つの第３のエコー時点（５０３）で少なくとも１つの第３のグラジエントエコーを形成し、
更に、少なくとも１つの第３の読み出し傾斜磁場（４０５−２）の印加期間中に少なくとも１つの第３のグラジエントエコーを読み出すステップを含み、
少なくとも１つの第３のグラジエントエコーがそれぞれ少なくとも１つの第３のエコー時点（５０３）を中心とする時間インターバル（９０３）内で読み出され、
その少なくとも1つの第３のエコー時点（５０３）は第１のエコー時点（５０１）および第２のエコー時点（５０２）の後に続く請求項１乃至１４の１つに記載の方法。
【請求項１６】
マルチエコーＭＲ測定シーケンスによりそれぞれ異なるエコー時点（５０１，５０２，５０３）について検査対象（１０１）の複数のＭＲ画像（１０００）を決定するように構成された磁気共鳴（ＭＲ）装置（１００）であって、
マルチエコーＭＲ測定シーケンスが、ｋ空間（２１０）を少なくとも２つのｋ空間セグメント（２００，２００−１〜２００−６）によりセグメントごとに走査し、
少なくとも２つのｋ空間セグメント（２００，２００−１〜２００−６）が、ｋ空間行に沿って行ごとに走査され、
マルチエコーＭＲ測定シーケンスが、各ｋ空間行（２２０）について、第１のエコー時点（５０１）で第１のグラジエントエコーを形成し、第２のエコー時点（５０２）で第２のグラジエントエコーを形成し、
このＭＲ装置（１００）が、
Ａ）横磁化を操作するための高周波パルス（４０１−１，４０１−２ａ，４０１−２ｂ，４０１−２ｃ）を照射するように構成された高周波送信ユニット（１３０）と、
Ｂ）現在のｋ空間行（２２０）の位相エンコーディングをするための位相エンコード傾斜磁場（４０２，４０２ａ）を印加するように構成された傾斜磁場システム（１４１）と、
Ｃ）現在のｋ空間行（２２０）のために照射された高周波波パルス（４０１−１，４０１−２ａ，４０１−２ｂ，４０１−２ｃ）によって操作された横磁化の第１のグラジエントエコーを第１の読み出し傾斜磁場（４０３−２）の印加期間中に読み出し、しかもその第１のグラジエントエコーの検出を第１のエコー時点（５０１）を中心とする時間インターバル（９０１）内で行うステップ、
第２のグラジエントエコーを第２の読み出し傾斜磁場（４０４−２）の印加期間中に読み出し、しかもその第２のグラジエントエコーの検出を第２のエコー時点（５０２）を中心とする時間インターバル（９０２）内で行うステップ、
を実行するように構成された高周波受信システム（１３２）と、
を含み、
少なくとも２つのｋ空間セグメント（２００，２００−１〜２００−６）が矩形であり、
少なくとも２つのｋ空間セグメント（２００，２００−１〜２００−６）の長辺が、それぞれのｋ空間セグメント（２００，２００−１〜２００−６）の位相エンコード傾斜磁場（４０２，４０２ａ）によって規定される方向（ｋｙ）に沿って向けられ、
少なくとも２つのｋ空間セグメント（２００，２００−１〜２００−６）の短辺が、それぞれのｋ空間セグメント（２００，２００−１〜２００−６）の読み出し傾斜磁場（４０３−２，４０４−２）によって規定される方向（ｋｘ）に沿って向けられている磁気共鳴装置（１００）。
【請求項１７】
更に請求項１乃至１５の１つに記載の方法を実施するように構成されている請求項１６記載の磁気共鳴装置（１００）。